(57)【特許請求の範囲】
【請求項１】
対向する第１辺及び第２辺を有する略矩形状に形成された、シート状のラベル本体と、
前記第１辺に設けられ、手で把持可能な少なくとも１つのタブと、
を備え、
前記ラベル本体の一方の面の少なくとも一部には、粘着剤が塗布され、
前記一方の面において、前記タブの少なくとも先端部には、粘着剤が塗布されておらず、
前記第２辺から前記タブの先端部までの長さは、前記第１辺と第２辺との間の最大長さ以下であり、
前記第１辺は、前記第１辺と第２辺との距離が徐々に短くなるように傾斜する傾斜部を有し、
前記タブの少なくとも１つは、前記傾斜部に設けられている、ラベル。
【請求項２】
前記ラベル本体における、前記タブの少なくとも一方の側部には、当該タブが凸状をなすように、凹部が形成されている、請求項１に記載のラベル。
【請求項３】
前記ラベル本体において、第１タブとして前記第１辺の中間部に前記タブを設け、当該タブに対応する位置に、前記第１辺と第２辺との間で延びる一対の破断可能な破断線をさらに備えている、請求項１または２に記載のラベル。
【請求項４】
前記第１タブの前記第１辺に沿う方向の長さが、前記一対の破断線の間の長さよりも大きい、請求項３に記載のラベル。
【請求項５】
第２タブとして前記第１辺の端部に前記タブが設けられている、請求項２に記載のラベル。
【請求項６】
前記第２タブ、及び当該第２タブから前記凹部を超えて前記第２辺側に延びる領域における前記一方の面には粘着剤が塗布されていない、請求項５に記載のラベル。
【請求項７】
少なくとも第１商品及び第２商品を含む商品群と、
前記第１商品と第２商品とを固定する、請求項３または４に記載のラベルと、
を備え、
前記一対の破断線を引裂くことで、前記第１商品と第２商品とを分離可能に構成されている、包装体。
【請求項８】
前記ラベル本体において、前記一対の破断線を挟む第１の領域及び第２の領域がそれぞれ、前記第１商品及び第２商品に固定され、
前記一対の破断線と、前記第１タブは、前記第１商品及び第２商品のいずれにも固定されていない、請求項７に記載の包装体。
【発明の詳細な説明】
【技術分野】
【０００１】
本発明は、ラベル、及びこれを備えた包装体に関する。
【背景技術】
【０００２】
従来、商品に貼り付けられるラベルは、商品から剥がしやすくするため、手で把持可能なタブが設けられている（例えば、特許文献１）。
【先行技術文献】
【特許文献】
【０００３】
【特許文献１】特表２００１−５２５９４３号公報
【発明の概要】
【発明が解決しようとする課題】
【０００４】
しかしながら、上記のラベルでは、タブが、ラベルの一辺から突出しているため、例えば、離型シートなどの１つの台紙に複数のラベルを配置するには、図１０に示すように、タブの突出長さを考慮して、ラベル間の隙間を決定しなければならなかった。そのため、タブの突出長さだけ、ラベル間の隙間を大きくしなければならず、一枚の台紙に配置できるラベルの数が制限されるという問題があった。本発明は、上記問題を解決するためになされたものであり、複数のラベルを配置する際、隣接するラベルの間隔を狭くすることができるラベル、及びこれを備えた包装体を提供することを目的とする。
【課題を解決するための手段】
【０００５】
本発明に係るラベルは、対向する第１辺及び第２辺を有する略矩形状に形成された、シート状のラベル本体と、前記第１辺に設けられ、手で把持可能な少なくとも１つのタブと、を備え、前記ラベル本体の一方の面の少なくとも一部には、粘着剤が塗布され、前記一方の面において、前記タブの少なくとも先端部には、粘着剤が塗布されておらず、前記第２辺から前記各タブの先端部までの長さは、前記第１辺と第２辺との間の最大長さ以下である。
【０００６】
この構成によれば、対向する第１辺及び第２辺を有するラベル本体において、第１辺に少なくとも１つのタブを設けている。そして、ラベル本体の少なくとも一部には、粘着剤が塗布され、タブには粘着剤が塗布されていない。したがって、ラベル本体を、例えば、商品に貼り付けた状態で、タブは商品には貼り付けられないため、タブを手で掴んで引っ張ることができ、その結果、ラベル本体を商品から容易に取り外すことができる。
【０００７】
また、ラベル本体の第２辺から各タブの先端部までの長さは、第１辺と第２辺との間の最大長さ以下であるため、タブがラベル本体から突出しないようにすることができる。そのため、例えば、複数のラベルを離型シートなどの台紙に貼り付ける場合、隣接するラベル間において、一方のラベルの第１辺と、他方のラベルの第２辺との隙間を小さくすることができる。すなわち、タブが突出していれば、一方のラベルのタブと、他方のラベルの第２辺に接触しないように、一方のラベルと、他方のラベルとの間隔を大きくしなければならないが、本発明に係るラベルでは、両者の間隔を狭くすることができる。したがって、台紙を小さくできたり、あるいは１つの台紙に多数のラベルを貼り付けることができたり、省スペース化やコストの低減が可能となる。
【０００８】
上記ラベルにおいて、前記ラベル本体における、前記タブの少なくとも一方の側部には、当該タブが凸状をなすように、凹部を形成することができる。これにより、タブが掴みやすくなる。
【０００９】
上記各ラベルでは、前記ラベル本体において、第１タブとして、前記タブを第１辺の中間部に設け、当該タブと対応する位置に設けられ、前記第１辺と第２辺との間で延びる一対の破断可能な破断線をさらに備えることができる。
【００１０】
この構成により、第１タブを引っ張ると、一対の破断線が破断することにより、ラベル本体を２つに分断することができる。なお、「中間部」とは、第１辺の両端の間のいずれかの位置であればよく、第１辺の厳密な中央付近を指すものではない。
【００１１】
上記ラベルにおいて、前記第１タブの前記第１辺に沿う方向の長さを、前記一対の破断線の間の長さよりも大きくすることができる。
【００１２】
この構成により、破断線の端部が、第１タブに覆われた状態になるため、破断線が衝撃により意図せず破断することを防止することができる。
【００１３】
上記ラベルにおいて、前記第２タブとして、前記タブを前記第１辺の端部に設けることができる。これにより、第２タブを容易に掴むことができる。
【００１４】
上記ラベルにおいて、前記第２タブ、及び当該第２タブから前記凹部を超えて前記第２辺側に延びる領域における前記一方の面には粘着剤が塗布されないように構成することができる。
【００１５】
この構成により、第２タブのみならず、それを超えた領域も商品から容易に離間できるため、第２タブをより、容易に掴むことができる。また、第２タブを引っ張ってラベルを剥がす際には、第２タブと前記凹部の境界付近でラベルが破れてしまうことを防ぐこともできる。
【００１６】
本発明に係る包装体は、少なくとも第１商品及び第２商品を含む商品群と、前記第１商品と第２商品とを固定する上述したいずれかのラベルと、を備え、前記一対の破断線を引裂くことで、前記第１商品と第２商品とを分離可能に構成されている。この構成により、２つの商品を、容易に分割することができる。
【００１７】
上記包装体においては、前記ラベル本体において、前記一対の破断線を挟む第１の領域及び第２の領域がそれぞれ、前記第１商品及び第２商品に固定され、前記一対の破断線と、前記第１タブは、前記第１商品及び第２商品のいずれにも固定されないように構成することができる。
【００１８】
この構成により、第１タブと商品との間に空間を形成することができる。そのため、タブを掴みやすくすることができ、破断線を容易に破断させ、前記第１商品と第２商品とを容易に分離することができる。
【発明の効果】
【００１９】
本発明によれば、離型シートなどの１つの台紙に複数のラベルを配置する際、隣接するラベルの間隔を狭くすることができる。
【図面の簡単な説明】
【００２０】
【図１】本発明の包装体の一実施形態に係る包装体の斜視図である。
【図２】図１の包装体における第１商品の斜視図（ａ）及び正面図（ｂ）である。
【図３】図１の包装体における第２商品の斜視図（ａ）及び正面図（ｂ）である。
【図４】ラベルの平面図である。
【図５】ラベルの背面図である。
【図６】離型シートに貼り付けられたラベルを示す平面図である。
【図７】包装体の製造方法を示す側面図である。
【図８】包装体の使用方法を示す斜視図である。
【図９】本発明に係るラベルの他の例を示す平面図である。
【図１０】従来のラベルを示す平面図である。
【発明を実施するための形態】
【００２１】
以下、本発明に係るラベル及び包装体の一実施形態について図面を参照しつつ説明する。図１は、本実施形態に係る包装体の斜視図である。同図に示すように、この包装体は、２つの直方体状の商品、つまり第１商品１及び第２商品２と、これら商品１，２を連結するラベル３と、を備えている。なお、図１では、説明のためラベル３を着色しているが、後述するように、透明または半透明であってもよい。以下、これらを詳細に説明する。
【００２２】
＜１．商品＞
図２は第１商品１の斜視図（ａ）及び正面図（ｂ）、図３は第２商品２の斜視図（ａ）及び正面図（ｂ）である。図２に示すように、本実施形態に係る第１商品１は、紙や樹脂シートなどによって形成された第１箱と、この箱の内部に収容される長尺状の第１物品（図示省略）とを備えている。なお、以下では、第１箱を第１商品として説明することがある。この第１商品１は、前面１１、背面１２、天面１３、底面１４、第１側面１５、及び第２側面１６を有する直方体状に形成され、第１物品が長尺状であるため、前面１１、背面１２、天面１３、及び底面１４が長く形成されている。したがって、以下ではこれらの面の延びる方向を長手方向ということがある。また、前面１１、背面１２、天面１３、及び底面１４に沿う方向を周方向と称することがある。このような長手方向及び周方向という方向を表す文言は、第２商品２でも同様に用いられる。
【００２３】
第２商品２も、第１商品１と同様の形態であるが、大きさが第１商品１よりも小さくなっている。具体的には、図３に示すように、第２商品２は、紙や樹脂シートなどによって形成された第２箱と、この第２箱の内部に収容される第２物品（図示省略）とを備えている。なお、以下では、第２箱を第２商品として説明することがある。第２物品は、第１物品とは異なるものであるが、第１物品と同様に長尺状に形成されている。そして、第２商品２も、前面２１、背面２２、天面２３、底面２４、第１側面２５、及び第２側面２６を有する直方体状に形成されており、長尺状の第２物品に合わせて、前面２１、背面２２、天面２３、及び底面２４が長く形成されている。
【００２４】
＜２．ラベル＞
次に、ラベル３について図４を参照しつつ説明する。図４に示すように、このラベルは、矩形状に形成されたラベル本体３１と、このラベル本体３１から突出する２つのタブ、つまり第１タブ３２１及び第２タブ３２２と、を備えており、これらは樹脂製のフィルムにより一体的に形成されている。そして、ラベル本体３１は、横方向の長さが縦方向の長さよりも長く形成され、横方向が上述した各商品１，２の周方向に対応し、縦方向が各商品１，２の長手方向に対応している。なお、縦方向の長さは、第２商品２の長手方向の長さよりも短くなっている。
【００２５】
ラベル本体３１は、横方向に延びて対向する第１辺３１１及び第２辺３１２と、縦方向に延びて対向する第３辺３１３及び第４辺３１４を備えている。横方向に延びる第２辺３１２は直線状に延びているが、第１辺３１１は右端部から左右方向の中間部付近まで第２辺３１２と平行に延びる第１部位３１１１と、この第１部位３１１１の左端部から第４辺３１４まで傾斜するように延びる第２部位３１１２とを備えている。第２部位３１１２は、第４辺３１４にいくにしたがって第２辺３１２に近接するようにやや傾斜している。そして、第１辺３１１の第２部位３１１２において、第１部位３１１１側の端部側には、円弧状の切り欠き３１７と、この切り欠き３１７の内縁の中央から突出する第１タブ３２１とが設けられている。
【００２６】
第１タブ３２１は、先端が円弧状に形成されており、第１タブ３２１の両側と切り欠き３１７の内縁との間には凹部３１７１がそれぞれ形成されている。また、第１タブ３２１は、第１辺３１１の第１部位３１１１を、第２辺３１２と平行に延長した仮想線Ｘから突出しないように、仮想線Ｘと第２辺３１２との間に配置されている。さらに、ラベル本体３１には、第１タブ３２１の基端部付近から第２辺３１２に向かって延びる一対のミシン目３１８が形成されている。これら一対のミシン目３１８間の長さｄ１は、第１タブ３２１の横方向の幅ｄ２よりも小さくなっている。そして、両ミシン目３１８は、横方向には、第１タブ３２１の両側縁よりも内側に配置されている。また、一対のミシン目３１８間の長さｄ１が、第１タブ３２１の横方向の幅ｄ２よりも小さいため、両ミシン目３１８の第１辺３１１側の端部と、第１タブ３２１の基端部の両側との間には、一対の切込み３１５が形成されている。これら切込み３１５は、第１辺３１１から第２辺３１２に向かって間隔が狭くなるように形成されている。また、第１タブ３２１は、視認しやすいように着色され、さらに「開」という文字が印刷されている。なお、前記ミシン目３１８が破断線に該当し、当該破断線は、ミシン目でなくてもよく、例えば、ハーフカット、レーザーカットなどにより形成されていてもよい。
【００２７】
次に、第２タブ３２２について説明する。第２タブ３２２は、第１辺３１１の第２部位３１１２の左端部において、縦方向に突出するように形成されている。第２タブ３２２は先端が湾曲する形状に形成されており、ラベル本体３１の第４辺３１４の延長上に、第２タブ３２２の左側の端縁が形成されている。また、第２タブ３２２も、第１タブ３２１と同様に、上述した仮想線Ｘからは突出しないように、仮想線Ｘと第２辺３１２との間に配置されている。さらに、第２タブ３２２の下端から第２辺３１２側へは、矩形状の延長領域３１６が形成されており、第２タブ３２２と延長領域３１６とは一体的に着色が施されるとともに、「開け口」との文字が印刷されている。ここで、第２タブ３２２の右側には、第２タブ３２２の右側の側縁と第２部位３１１２とが交差することで形成される鋭角部により凹部が構成されている。
【００２８】
次に、ラベル３の背面について、図５を参照しつつ説明する。図５に示すように、ラベル３の背面において着色された領域には、粘着剤が塗布されている。まず、第１タブ３２１の背面、及びラベル本体３１においてミシン目３１８の右側及び左側で縦方向にそれぞれ延びる第１境界線３０７及び第２境界線３０８により挟まれる領域には、粘着剤が塗布されていない。この領域を以下、非塗布領域３０３という。そして、ラベル本体３１において第１境界線３０７よりも右側の領域では、第２タブ３２２及び延長領域３１６に対応する領域以外には、粘着剤が塗布されている。この領域を以下、第１塗布領域３０１という。また、ラベル本体３１において、第２境界線３０８よりも左側の領域全体に、粘着剤が塗布されている。この領域を以下、第２塗布領域３０２という。
【００２９】
次に、ラベル３の材料について説明する。ラベル３は、種々の材料で形成できるが、例えば、ポリエチレンテレフタレート、ポリエチレン、ポリプロピレン、ポリ塩化ビニル、ポリスチレンの１種または２種以上の貼りあわせなどで形成することができる。また、ラベル３の背面には上記のように粘着剤が塗布され、図６に示すように、離型シート５に貼り付けられている。離型シート５には、複数のラベル３が貼り付けられており、使用時に離型シート５から剥がされ、第１商品１と第２商品２とを固定するのに用いられる。また、ラベル３は、透明、半透明、不透明のいずれでもよく、必要に応じて、文字、図形など、商品を表すための印刷を施すことができる。なお、ラベル３の厚みは、例えば、２０〜１００μｍとすることができる。
【００３０】
＜３．包装体の製造方法＞
次に、包装体の製造方法について説明する。まず、図７（ａ）に示すように、第１商品１上に第２商品２を配置する。具体的には、第１商品１の天面１３と第２商品２の底面２４とが接するように配置し、さらに第１商品１及び第２商品２の各背面１２、２２同士が面一になるように両商品１，２の位置を調整する。また、第２商品２の長手方向の長さは、第１商品１よりも短いので、長手方向には、第２商品２は、第１商品１の中央付近に配置される（図１参照）。このような配置により、図７（ａ）に示すように、第１商品１と第２商品２との間には段が形成される。
【００３１】
次に、離型シート５からラベル３を一枚剥がし、第１商品１及び第２商品２に貼り付ける。具体的には、図７（ｂ）に示すように、ラベル３によって第２商品２を天面２３側から覆い、ラベル本体３１の横方向の両端部を第１商品１に貼り付ける。このとき、ラベル３の第１塗布領域３０１を第１商品１の前面１１に貼り付け、第２塗布領域３０２を第２商品２の天面２３と背面２２、及びこれと面一の第１商品１の背面１２に貼り付ける。この状態で、非塗布領域３０３は、いずれの商品１，２にも接触せず、第２商品２の天面２３と第１商品１の前面１１との間で延びるように配置される。すなわち、非塗布領域３０３は、上述した段を覆うように配置される。但し、非塗布領域３０３は、概ね第２商品２の天面２３と第１商品１の前面１１との間に配置されればよく（横方向の長さが調整されていればよく）、第２商品２の天面２３、あるいは第１商品１の前面１１と接触してもよい。
【００３２】
＜４．包装体の使用方法＞
次に、上記のように製造された包装体の使用方法について、図８を参照しつつ説明する。まず、第１タブ３２１を手で掴み、第２辺３１２側へ引っ張る。これにより、切込み３１５から両ミシン目３１８が破断し、ラベル本体３１がミシン目３１８を挟んで２つに分離する。その結果、第１商品１と第２商品２との固定状態が解除されて互いに動くようになる。よって、ラベル３から取り外し可能になる。
【００３３】
また、第２タブ３２２を手で掴むと、その背面及び延長領域３１６の背面には粘着剤が塗布されていないため、第２タブ３２２及びそれに続く延長領域３１６を第１商品１の前面１１から離間させることができる。この状態で第２タブ３２２を引っ張れば、第１商品１に固定された第１塗布領域３０１を第１商品１から剥がすことができる。
【００３４】
＜５．特徴＞
以上のように、本実施形態によれば、以下の効果を得ることができる。
（１）ラベル本体３１の少なくとも一部には、粘着剤が塗布され、各タブ３２１，３２２には粘着剤が塗布されていない。したがって、各タブ３２１，３２２は各商品１，２には貼り付けられないため、各タブ３２１，３２２をそれぞれ手で掴んで引っ張ることができる。その結果、ミシン目３１８を破断させたり、ラベル本体３１を商品１，２から容易に取り外したりすることができる。特に、第２タブ３２２では、タブのみならず、その下端から第２辺３１２側へ延びる延長領域３１６にも粘着剤が塗布されていないため、第２タブ３２２をさらに掴みやすくしている。また、第２タブ３２２を引っ張ってラベル３を剥がす際には、第２タブ３２２と前記凹部の境界付近に力が集中し、当該境界付近にてラベル３が破れてしまうことがあるが、延長領域３１６にも粘着剤が塗布されていないことにより、このような破れを防ぐこともできる。さらに、第１タブ３２１の両側に円弧状の凹部３１７１が形成されたり、第２タブ３２２の右側縁に鋭角状の凹部が形成されたりしているため、これによっても、タブを掴みやすくしている。
【００３５】
（２）図４に示すように、ラベル本体３１の第２辺３１２から第２タブ３２２の先端部までの長さＬ２は、第１辺３１１と第２辺３１２との間の最大長さＬ１以下であるため、仮想線Ｘから、第２タブ３２２が突出しないようにすることができる。また、第１タブ３２１も仮想線Ｘから突出しないように形成している。そのため、例えば、図６に示すように、複数のラベル３を離型シート５などの台紙に貼り付ける場合、隣接するラベル３間において、一方のラベルの第１辺３１１と、他方のラベルの第２辺３１２との間隔Ｄを小さくすることができる。例えば、タブが突出していれば、一方のラベルのタブと、他方のラベルの第２辺とが接触しないように、両ラベルとの間隔を大きくしなければならないが、本実施形態に係るラベル３では、両者の間隔Ｄを狭くすることができる。したがって、離型シート５を小さくできたり、あるいは１つの離型シート５に多数のラベル３を貼り付けたりすることができ、省スペース化やコストの低減が可能となる。
【００３６】
（３）第１タブ３２１の横方向の幅ｄ２が、一対のミシン目３１８の間の長さｄ１よりも大きいため、ミシン目３１８の端部が、第１タブ３２１に覆われた状態になっている。そのため、ミシン目３１８が衝撃などにより意図せず破断することを防止することができる。
【００３７】
＜６．変形例＞
以上、本発明の一実施形態について説明したが、本発明はこれに限定されるものではなく、その趣旨を逸脱しない限りにおいて種々の変更が可能である。なお、以下の変形例は、適宜組み合わせ可能である。
【００３８】
＜６−１＞
上記実施形態では、１つのラベル３に２つのタブ３２１，３２２を設けているが、いずれか一方でもよい。また、第１タブ３２１のようなミシン目３１８を伴うタブを複数設けることもできる。さらに、第２タブ３２２を、第３辺３１３側及び第４辺３１４側の少なくとも一方に設けることもできる。
【００３９】
＜６−２＞
上記実施形態では、各タブ３２１，３２２を第１辺３１１から突出させているが、ラベル本体１の第２辺３１２から各タブ３２１，３２２の先端部までの長さが、第１辺３１１と第２辺３１２との間の最大長さ以下であれば、各タブ３２１，３２２の構成は特には限定されない。例えば、図９に示すように、第１辺３１１と第２辺３１２とを平行に形成するとともに、第１辺３１１に複数の切込み３８を形成することで、一対の切込み３８の間、または切込み３８と第３辺３１３（または第４辺３１４）との間をタブ３２１，３２２とすることができる。この切込み３８が、本発明の凹部に相当する。ただし、各タブ３２１，３２２を掴みやすいという観点から、タブ３２１の少なくとも一方側には、円弧状に凹部が形成されていることが好ましく、タブ３２２の右側には、鋭角部により凹部が構成されていることが好ましい。また、本発明の凹部は、タブ３２１，３２２の両側に形成しなくてもよく、タブの一方の側部に形成してもよい。
【００４０】
＜６−３＞
上記実施形態では、第１タブ３２１とともにミシン目３１８を形成しているが、ミシン目に限定されず、ラベル本体３１に溝を形成して薄肉化し、破断しやすくすることもできる。また、ミシン目や溝を形成せず、縦方向に破断しやすい材料でラベル本体３１を形成することもできる。
【００４１】
＜６−４＞
ラベル本体３１は、必ずしも完全な矩形状でなくてもよく、少なくとも対向する第１辺３１１と第２辺３１２とを有していれば、複数の直線や曲線を含んでいてもよい。
【００４２】
＜６−５＞
粘着剤の塗布領域は特には限定されず、少なくとも商品を固定できればよい。例えば、上記実施形態では、第１タブ３２１及び第２タブ３２２の全体に粘着剤が塗布されていないが、少なくとも各タブ３２１，３２２の先端部分に粘着剤が塗布されていなければよい。また、上記非塗布領域３０３に、粘着剤を塗布することもできる。
【００４３】
＜６−６＞
本発明に係るラベルは、１つの商品に取付けることもできるし、３以上の商品を固定するのに用いることもできる。１つの商品に取付ける場合には、第２タブ３２２を設けておけば、ラベル３を商品から簡単に取り外すことができる。また、３以上の商品を固定する場合には、３以上の商品が本発明の商品群を構成する。そして、３以上の商品を固定する場合には、特に、上述したミシン目３１８を伴う第１タブ３２１を複数設ければ、これを破断させることで、固定された３以上の商品を分離することができる。
【符号の説明】
【００４４】
１  第１商品
２  第２商品
３  ラベル
３１  ラベル本体
３１１  第１辺
３１２  第２辺
３１８  ミシン目
３２１  第１タブ
３２２  第２タブ
【図１】
0006691767.tif 000002
【図２】
0006691767.tif 000003
【図３】
0006691767.tif 000004
【図４】
0006691767.tif 000005
【図５】
0006691767.tif 000006
【図６】
0006691767.tif 000007
【図７】
0006691767.tif 000008
【図８】
0006691767.tif 000009
【図９】
0006691767.tif 000010
【図１０】
0006691767.tif 000011